(57)【要約】【課題】建物の天井裏等の空間に配置し、給気換気用に使用されるダクトファンにおいて、特に高層マンション等の天井裏の狭い空間に設置できるダクトファンを提供することを目的とする。【解決手段】機体３の流路８に片吸込型送風機９を設け、前記片吸込型送風機９はファン吸込口１３側の流路８にモーター１５を配設し、前記機体吸込口１と前記片吸込型送風機９の前記ファン吸込口１３との間に通風用開口１１を備えたフィルター隔壁１２を設け、前記フィルター隔壁１２の前記ファン吸込口１３側の面に空気を清浄する空気清浄フィルター１０を配置し、前記空気清浄フィルター１０を前記ファン吸込口１３に向かうに従って下方に傾斜させて配設したことにより、必要風量を確保しながらも薄型コンパクトなダクトファンを提供する。【選択図】図１
2007101146.tif 000002
【特許請求の範囲】
【請求項１】
機体吸込口と機体吹出口を対向する二面に有する箱状の機体に、前記機体吸込口から前記機体吹出口に至る流路を有し、前記流路に片吸込型送風機を設け、前記片吸込型送風機はファン吸込口側にモーターを配設し、前記モーターを前記流路内に臨ませたダクトファンであって、前記片吸込型送風機の反モーター側のファンケーシング側板を前記機体の天面板近傍に対向し、前記機体吸込口と前記片吸込型送風機の前記ファン吸込口との間に通風用開口を備えたフィルター隔壁を設け、前記フィルター隔壁の前記ファン吸込口側の面に空気を清浄する空気清浄フィルターを配置し、前記空気清浄フィルターを前記ファン吸込口に向かうに従って下方に傾斜させて配設したことを特徴とするダクトファン。
【請求項２】
空気清浄フィルターのファンケーシング側のフィルター下端部を機体吸込口側のファンケーシング端部とファン吸込口の間に位置したことを特徴とする請求項１記載のダクトファン。
【請求項３】
機体吸込口側のファンケーシング端部に、ファン吸込口に向かうに従って下方に傾斜させたファンケーシング傾斜部を設けたことを特徴とする請求項１または２記載のダクトファン。
【請求項４】
機体吸込口とフィルター隔壁の間に、前記機体吸込口からの気流の前記フィルター隔壁での衝突抵抗を低減する吸込空気室を有したことを特徴とする請求項１〜３のいずれかに記載のダクトファン。
【請求項５】
片吸込型送風機のファン吸込口側にモーターを固定するモーター取付脚を備え、前記ファン吸込口と前記モーター取付脚の間のフィルター側モーター取付脚隙間を反フィルター側モーター取付脚隙間より広くしたことを特徴とする請求項１〜４のいずれかに記載のダクトファン。
【請求項６】
空気清浄フィルターの下方にフィルター点検蓋を設けたことを特徴とする請求項１〜５のいずれかに記載のダクトファン。
【請求項７】
フィルター隔壁を空気清浄フィルターの挿入ガイドとして設け、前記空気清浄フィルターを着脱自在としたことを特徴とする請求項６記載のダクトファン。
【請求項８】
空気清浄フィルターの下面側に粗塵防虫網を配置したことを特徴とする請求項１〜７のいずれかに記載のダクトファン。
【請求項９】
フィルター隔壁に粗塵防虫網を固定したことを特徴とする請求項８記載のダクトファン。
【請求項１０】
モーターの下方に着脱自在のモーター点検蓋を設け、前記モーター点検蓋の空気清浄フィルター側に前記空気清浄フィルターの傾斜に沿うモーター点検蓋傾斜部を設け、前記空気清浄フィルターの挿入ガイドとし、前記空気清浄フィルターを着脱自在としたことを特徴とする請求項６〜９のいずれかに記載のダクトファン。
【請求項１１】
空気清浄フィルター上面にフィルターガイドを配し、前記空気清浄フィルターをフィルター隔壁と前記フィルターガイドで挟んで固定し、前記空気清浄フィルターを脱着する際に前記フィルター隔壁を前記フィルターガイドと分離する構成としたことを特徴とする請求項１〜１０のいずれかに記載のダクトファン。
【発明の詳細な説明】
【技術分野】
【０００１】
本発明は、建物の天井裏等の空間に配置し、室外から室内へダクトを介して給気換気用に使用され、特に高層マンション等の天井裏の狭い空間に設置するダクトファンに関する。
【背景技術】
【０００２】
従来、一般居住空間のダクトファンの一例としては、図８、図９に示されるものが知られている（例えば、特許文献１参照）。
【０００３】
以下、その構成について図８、図９を参照しながら説明する。
【０００４】
図８、図９に示すように、懐の深い天井裏１０１において機体吸込口１０２に吸込側ダクト１０３、機体吹出口１０４に吹出側ダクト１０５を接続して設置される箱状の機体１０６がある。機体１０６は、吸込側に機体吸込口１０２、吐出側に機体吹出口１０４を設け、機体１０６の内部にファンケーシング１０７を有した片吸込型送風機１０８と空気清浄フィルター１０９を設けている。片吸込型送風機１０８のファン吐出口１１０と機体吹出口１０４の間には吹出空気室１１１を設け、吹出空気室１１１の内部に空気清浄フィルター１０９を配した構成となっている。そして、機体１０６を運転すると、室外１１２の新鮮な空気が吸込側ダクト１０３を介して機体１０６に吸入され、片吸込型送風機１０８、空気清浄フィルター１０９、吹出側ダクト１０５を通過した後、室内１１３へ給気されていた。
【特許文献１】特開２００１−２７２０７４号公報
【発明の開示】
【発明が解決しようとする課題】
【０００５】
このような従来の居住空間の換気装置であるダクトファンでは、ファン吸込口に羽根車の中心軸の方向の吸込流成分を多くするための風路を広く必要としていた。また、空気清浄フィルターを吹出空気室に配置する際、ファン吐出口からの主吐出気流が空気清浄フィルターの一部に衝突することでの圧力損失を低減してファン能力を発揮するため、ファン吐出口から空気清浄フィルターまでの距離を離しながら吹出空気室を広く構成していた。また圧力損失を低減するため、空気清浄フィルターの面積を大きくする必要があり、吹出空気室の高さも大きく構成していた。これらにより機体の高さ寸法が必然的に高くなっていたという課題がある。また、近年の高層マンションにおいては、室内を広く見せるため床面から天井材までを高く取る市場動向があり、天井裏の寸法の確保が難しく、寸法の低い天井裏に入るダクトファンが要求されている。
【０００６】
本発明は、このような従来の課題を解決するものであり、空気清浄フィルターと片吸込型送風機を組み込み必要風量を確保しながらも、薄型コンパクトなダクトファンを提供することを目的としている。
【課題を解決するための手段】
【０００７】
本発明のダクトファンは上記目的を達成するために、機体吸込口と機体吹出口を対向する二面に有する箱状の機体に、前記機体吸込口から前記機体吹出口に至る流路を有し、前記流路に片吸込型送風機を設け、前記片吸込型送風機はファン吸込口側にモーターを配設し、前記モーターを前記流路内に臨ませたダクトファンであって、前記片吸込型送風機の反モーター側のファンケーシング側板を前記機体の天面板近傍に対向し、前記機体吸込口と前記片吸込型送風機の前記ファン吸込口との間に通風用開口を備えたフィルター隔壁を設け、前記フィルター隔壁の前記ファン吸込口側の面に空気を清浄する空気清浄フィルターを配置し、前記空気清浄フィルターを前記ファン吸込口に向かうに従って下方に傾斜させて配設したものである。
【０００８】
また、他の手段は、空気清浄フィルターのファンケーシング側のフィルター下端部を機体吸込口側のファンケーシング端部とファン吸込口の間に位置したものである。
【０００９】
また、他の手段は、機体吸込口側のファンケーシング端部に、ファン吸込口に向かうに従って下方に傾斜させたファンケーシング傾斜部を設けたものである。
【００１０】
また、他の手段は、機体吸込口とフィルター隔壁の間に、前記機体吸込口からの気流の前記フィルター隔壁での衝突抵抗を低減する吸込空気室を有したものである。
【００１１】
また、他の手段は、片吸込型送風機のファン吸込口側にモーターを固定するモーター取付脚を備え、前記ファン吸込口と前記モーター取付脚の間のフィルター側モーター取付脚隙間を反フィルター側モーター取付脚隙間より広くしたものである。
【００１２】
また、他の手段は、空気清浄フィルターの下方にフィルター点検蓋を設けたものである。
【００１３】
また、他の手段は、フィルター隔壁を空気清浄フィルターの挿入ガイドとして設け、前記空気清浄フィルターを着脱自在としたものである。
【００１４】
また、他の手段は、空気清浄フィルターの下面側に粗塵防虫網を配置したものである。
【００１５】
また、他の手段は、フィルター隔壁に粗塵防虫網を固定したものである。
【００１６】
また、他の手段は、モーターの下方に着脱自在のモーター点検蓋を設け、前記モーター点検蓋の空気清浄フィルター側に前記空気清浄フィルターの傾斜に沿うモーター点検蓋傾斜部を設け、前記空気清浄フィルターの挿入ガイドとし、前記空気清浄フィルターを着脱自在としたものである。
【００１７】
また、他の手段は、空気清浄フィルター上面にフィルターガイドを配し、前記空気清浄フィルターをフィルター隔壁と前記フィルターガイドで挟んで固定し、前記空気清浄フィルターを脱着する際に前記フィルター隔壁を前記フィルターガイドと分離する構成としたものである。
【発明の効果】
【００１８】
本発明によれば、片吸込型送風機のファン吸込口と機体吸込口の間に空気清浄フィルターをファン吸込口に向かうに従って下方に傾斜させて配設したことにより、空気清浄フィルターの表面の風速分布を均一にし圧力損失を低減し、またファン吸込口にて羽根車の中心軸の方向の吸込流成分を多くしファンの吸い込み抵抗を低減できる効果があり、高層マンションのような低い天井裏内に納まるように薄型化できる効果のあるダクトファンを提供できる。
【発明を実施するための最良の形態】
【００１９】
本発明の請求項１記載のダクトファンは、機体吸込口と機体吹出口を対向する二面に有する箱状の機体に、前記機体吸込口から前記機体吹出口に至る流路を有し、前記流路に片吸込型送風機を設け、前記片吸込型送風機はファン吸込口側にモーターを配設し、前記モーターを前記流路内に臨ませたダクトファンであって、前記片吸込型送風機の反モーター側のファンケーシング側板を前記機体の天面板近傍に対向し、前記機体吸込口と前記片吸込型送風機の前記ファン吸込口との間に通風用開口を備えたフィルター隔壁を設け、前記フィルター隔壁の前記ファン吸込口側の面に空気を清浄する空気清浄フィルターを配置し、前記空気清浄フィルターを前記ファン吸込口に向かうに従って下方に傾斜させて配設し構成されたものである。これにより、空気清浄フィルターの表面の風速分布を均一にし圧力損失を低減し、またファン吸込口にて羽根車の中心軸の方向の吸込流成分を多くしファンの吸い込み抵抗を低減でき、ファン能力を発揮しながら機体の高さ寸法の薄型化を図ることができるという作用を有する。
【００２０】
また、本発明の請求項２記載のダクトファンは、空気清浄フィルターのファンケーシング側のフィルター下端部を機体吸込口側のファンケーシング端部とファン吸込口の間に位置して構成されたものである。これにより、ファン吸込口にて羽根車の中心軸の方向の吸込流成分を多くしファンの吸い込み抵抗を低減でき、ファン能力を発揮しながら機体の長さ寸法の小型化を図ることができるという作用を有する。
【００２１】
また、本発明の請求項３記載のダクトファンは、機体吸込口側のファンケーシング端部に、ファン吸込口に向かうに従って下方に傾斜させたファンケーシング傾斜部を設けて構成されたものである。これにより、空気清浄フィルターを通過した気流がファン吸込口に流れやすくなり、吸い込み部分の抵抗を少なくでき風量を確保することができるという作用を有する。
【００２２】
また、本発明の請求項４記載のダクトファンは、機体吸込口とフィルター隔壁の間に、前記機体吸込口からの気流の前記フィルター隔壁での衝突抵抗を低減する吸込空気室を有して構成されたものである。これにより、機体吸込口を通過した気流のフィルター隔壁での衝突抵抗を低減でき、吸い込み部分の抵抗を少なくでき風量を確保することができるという作用を有する。
【００２３】
また、本発明の請求項５記載のダクトファンは、片吸込型送風機のファン吸込口側にモーターを固定するモーター取付脚を備え、前記ファン吸込口と前記モーター取付脚の間のフィルター側モーター取付脚隙間を反フィルター側モーター取付脚隙間より広くて構成されたものである。これにより、空気清浄フィルターを通過した気流がファン吸込口に流れやすくなり、吸い込み部分の抵抗を少なくでき風量を確保することができるという作用を有する。
【００２４】
また、本発明の請求項６記載のダクトファンは、空気清浄フィルターの下方にフィルター点検蓋を設けて構成されたものである。これにより、空気清浄フィルターを取り外さずに清掃できるという作用を有する。
【００２５】
また、本発明の請求項７記載のダクトファンは、フィルター隔壁を空気清浄フィルターの挿入ガイドとして設け、前記空気清浄フィルターを着脱自在として構成されたものである。これにより、空気清浄フィルターの取り出し時の着脱が容易になり、また空気清浄フィルターの取り出し時の落下を防ぐことができるという作用を有する。
【００２６】
また、本発明の請求項８記載のダクトファンは、空気清浄フィルターの下面側に粗塵防虫網を配置して構成されたものである。これにより、空気清浄フィルターの目詰まりを防ぎ、また空気清浄フィルターを取り外さずに大きな塵を清掃できるという作用を有する。
【００２７】
また、本発明の請求項９記載のダクトファンは、フィルター隔壁に粗塵防虫網を固定して構成されたものである。これにより、材料を削減することができるという作用を有する。
【００２８】
また、本発明の請求項１０記載のダクトファンは、モーターの下方に着脱自在のモーター点検蓋を設け、前記モーター点検蓋の空気清浄フィルター側に前記空気清浄フィルターの傾斜に沿うモーター点検蓋傾斜部を設け、前記空気清浄フィルターの挿入ガイドとし、前記空気清浄フィルターを着脱自在として構成されたものである。これにより、空気清浄フィルターの取り出し時の着脱が容易にできるという作用を有する。
【００２９】
また、本発明の請求項１１記載のダクトファンは、空気清浄フィルター上面にフィルターガイドを配し、前記空気清浄フィルターをフィルター隔壁と前記フィルターガイドで挟んで固定し、前記空気清浄フィルターを脱着する際に前記フィルター隔壁を前記フィルターガイドと分離する構成としたものである。これにより、空気清浄フィルターを堅固に固定し空気清浄フィルター以外の通風隙間をなくし、小さい塵の機体吹出口への流出を防ぐことができ、空気清浄フィルターの取り出し時の着脱が容易にできるという作用を有する。
【００３０】
以下、本発明の実施の形態について図面を参照しながら説明する。
【００３１】
（実施の形態１）
本発明の実施の形態１について、図１または図２に基づいて説明する。図１は本発明の実施の形態１の側面透視図、図２は本発明の実施の形態１の設置状態を示す側面図である。
【００３２】
図１に示すように、機体吸込口１と機体吹出口２を対向する二面に箱状の機体３を有している。前記機体３には、前記機体吸込口１に吸込側ダクト４を接続する吸込アダプター５、および前記機体吹出口２に吹出側ダクト６を接続する吹出アダプター７を配している。前記機体３の内部には、前記機体吸込口１から前記機体吹出口２に至る流路８を有し、その流路８に片吸込型送風機９と空気清浄フィルター１０と通風用開口１１を備えたフィルター隔壁１２を内蔵している。前記片吸込型送風機９は、ファン吸込口１３側に羽根車１４を取り付けたモーター１５を有し、前記片吸込型送風機９の反モーター側のファンケーシング側板１６を前記機体３の天面板１７近傍に対向して取り付けている。前記片吸込型送風機９のファン吐出口１８には、前記ファン吐出口１８の開口部を有したファン吐出口隔壁１９を機体吹出口板２０と対向して設け、前記ファン吐出口隔壁１９と前記機体吹出口板２０と前記天面板１７と底面板２１と横面板２２とで囲まれた空間である吹出空気室２３を、前記ファン吐出口１８と前記機体吹出口板２０との間に有している。
【００３３】
また、機体吸込口板２４上に有した前記機体吸込口１と前記片吸込型送風機９の前記ファン吸込口１３との間に前記フィルター隔壁１２を配し、前記フィルター隔壁１２の前記ファン吸込口１３側の面に空気を清浄する前記空気清浄フィルター１０を位置し、前記空気清浄フィルター１０を前記ファン吸込口１３に向かうに従って下方に傾斜させて配設している。
【００３４】
また前記モーター１５は前記流路８内に配設しており、前記片吸込型送風機９は前記機体吸込口１の径より小さいファンケーシング幅２５を用いている。
【００３５】
なお前記ファン吐出口隔壁１９の形状は、前記片吸込型送風機９のモーター側のファンケーシング側板２６の延長を、前記ファン吐出口１８から前記底面板２１に向けて折り曲げて形成した一体構造としているため、部品点数を少なくすることができ安価な製作を可能としている。
【００３６】
上記構成においてダクトファンを運転すると、図２に示すように、天井裏２７に設置された前記機体３に内蔵した前記片吸込型送風機９が運転し、室外２８の空気は前記吸込側ダクト４を通り、前記流路８内の前記空気清浄フィルター１０を介して前記片吸込型送風機９に吸い込まれ、前記吹出空気室２３を介して前記吹出側ダクト６を通り室内２９に排気される。
【００３７】
その運転の際の気流の流れは、図１に示すように、前記機体吸込口１から吸い込んだ気流は、前記空気清浄フィルター１０の傾斜に沿って斜め下に流れながら前記空気清浄フィルター１０を通過し、モーター下部３０の方向に流れ、前記片吸込型送風機９の前記羽根車１４の中心軸方向に吸い込まれ前記ファン吸込口１３に流入される。そして、前記ファン吐出口１８から吹き出された気流は、前記吹出空気室２３を通り前記機体吹出口２に向けて吹き出す。
【００３８】
ここで、前記機体吸込口１から吸い込まれる主吸込気流３１は、前記空気清浄フィルター１０が前記ファン吸込口１３に向かうに従って下方に傾斜させて配設した構造になっているため、前記空気清浄フィルター１０の傾斜に沿って斜め下に流れながら前記空気清浄フィルター１０を通過することにより、前記空気清浄フィルター１０の一部に気流が片寄ることでの圧力損失を発生することなく、前記空気清浄フィルター１０の表面の風速分布を均一にし圧力損失を低減することができる。
【００３９】
さらに前記空気清浄フィルター１０通過後の主フィルター通過気流３２は、前記空気清浄フィルター１０が前記ファン吸込口１３に向かうに従って下方に傾斜させて配設した構造になっているため、前記空気清浄フィルター１０の下部から流出し前記モーター下部３０の方向に流れることにより、前記ファン吸込口１３にて前記羽根車１４の中心軸の方向の吸込流成分を多くしファンの吸い込み抵抗を低減でき、ファン能力を発揮できる。
【００４０】
また、前記空気清浄フィルター１０は前記ファン吸込口１３に向かうに従って下方に傾斜させて配設した構造になっているため、前記空気清浄フィルター１０のフィルター高さ寸法３３より機体の高さ寸法３５を小さくすることができる。
【００４１】
なお、前記空気清浄フィルター１０の圧力損失特性が小さいほど、前記機体３へのフィルター取付角度３４を小さくしたほうが、主フィルター通過気流３２を増加でき、前記羽根車１４の中心軸の方向の吸込流成分を多くしファンの吸い込み抵抗を低減しながら機体の高さ寸法３５を小さくできる。
【００４２】
また前記機体３の薄型化のため、前記片吸込型送風機９を前記機体吸込口１の径より小さい前記ファンケーシング幅２５を用い羽根幅を狭くした分羽根径を大きくし風量を確保した場合、前記ファン吸込口１３の面積が大きくなり、前記空気清浄フィルター１０の面積と近づくことで、前記空気清浄フィルター１０近傍での風速むらも抑えられ、圧力損失を低減し風量を確保できる。
【００４３】
これらのことから、ファン能力を発揮しながら前記機体の高さ寸法３５の薄型化を図ることが可能なダクトファンを提供することができる。
【００４４】
また、前記片吸込型送風機９が前記機体吸込口１の中心から天面に偏って配置されているため、前記機体吸込口１から入った空気が前記片吸込型送風機９の背面に直接当たらない構成としているため、吸込み部分の抵抗を少なくでき、さらに前記羽根車１４の中心軸の方向に空気を吸い込むために必要な前記ファン吸込口１３の前面の空間も確保できるため、吸込み部分の抵抗を少なくでき、風量を確保しながら前記機体の高さ寸法３５を抑えることができる。
【００４５】
またメンテナンスをする際には、図２に示すように、前記機体３の真下に天井材３６に設けた天井点検口３７を開き、前記底面板２１を取り外し、前記機体３の内部を点検する。そして、前記モーター１５は前記底面板２１側に配置されているため、前記天井点検口３７より前記底面板２１を取り外し、前記モーター１５と前記羽根車１４と前記空気清浄フィルター１０を点検でき、メンテナンス性の良いダクトファンを提供することができる。
【００４６】
なお住宅の居室数に合わせ、前記機体吹出口２を複数個としても効果は同じである。
【００４７】
（実施の形態２）
図３は本発明の実施の形態２の側面透視図であり、図１および図２と同じ構成要素については同じ符号を用い、その説明は省略する。
【００４８】
図３に示すように、前記空気清浄フィルター１０のファンケーシング側のフィルター下端部３８を機体吸込口側のファンケーシング端部３９と前記ファン吸込口１３の間に位置している。
【００４９】
また機体吸込口側のファンケーシング端部３９に、前記ファン吸込口１３に向かうに従って下方に傾斜させたファンケーシング傾斜部４０を設けて形成している。
【００５０】
上記構成においてダクトファンを運転すると、ファンケーシング側のフィルター下端部３８が機体吸込口側のファンケーシング端部３９と前記ファン吸込口１３の間に位置しており、前記空気清浄フィルター１０が前記ファン吸込口１３の近傍となり、主フィルター通過気流３２は前記ファン吸込口１３にて前記羽根車１４の中心軸の方向の吸込流成分が多くなるため、ファンの吸い込み抵抗を低減でき、ファン能力を発揮しながら機体の長さ寸法の小型化を図ることができる。
【００５１】
また機体吸込口側のファンケーシング端部３９に、前記ファン吸込口１３に向かうに従って下方に傾斜させたファンケーシング傾斜部４０を設けており、前記空気清浄フィルター１０を通過した気流が前記ファンケーシング傾斜部４０にそって整流され前記ファン吸込口１３に流れやすくなるため、吸い込み部分の抵抗を少なくでき風量を確保することが可能なダクトファンを提供することができる。
【００５２】
なお前記ファンケーシング傾斜部４０の形状は、前記片吸込型送風機９の前記モーター側のファンケーシング側板２６の延長を、前記機体吸込口側のファンケーシング端部３９から前記天面板１７に向けて折り曲げて形成した一体構造としているため、部品点数を少なくすることができ安価な製作を可能としている。
【００５３】
（実施の形態３）
図４は本発明の実施の形態３の側面透視図であり、図１〜図３と同じ構成要素については同じ符号を用い、その説明は省略する。
【００５４】
図４に示すように、前記機体吸込口１と前記フィルター隔壁１２の間に、前記機体吸込口１からの気流の前記フィルター隔壁１２での衝突抵抗を低減する吸込空気室４１を有して形成している。
【００５５】
上記構成においてダクトファンを運転すると、前記機体吸込口１を通過した気流の前記主吸込気流３１は、前記吸込空気室４１を通過しながら前記空気清浄フィルター１０の傾斜に沿って斜め下に整流されやすくなるため、前記主吸込気流３１が前記フィルター隔壁１２と衝突することでの抵抗を低減し、吸い込み部分の抵抗を少なくでき風量を確保することが可能なダクトファンを提供することができる。
【００５６】
（実施の形態４）
図５は本発明の実施の形態４の側面透視図であり、図１〜図４と同じ構成要素については同じ符号を用い、その説明は省略する。
【００５７】
図５に示すように、前記片吸込型送風機９の前記ファン吸込口１３側に前記モーター１５を固定するモーター取付脚４２を備え、前記ファン吸込口１３と前記モーター取付脚４２の間のフィルター側モーター取付脚隙間４３を反フィルター側モーター取付脚隙間４４より広くしている。
【００５８】
また、前記底面板２１の前記空気清浄フィルター１０の下方にフィルター点検蓋４５をねじ等で着脱自在に設けている。
【００５９】
また、前記フィルター隔壁１２を前記空気清浄フィルター１０の挿入ガイドとして設け、前記空気清浄フィルター１０を着脱自在として形成している。
【００６０】
上記構成においてダクトファンを運転すると、フィルター側モーター取付脚隙間４３を反フィルター側モーター取付脚隙間４４より広くしているため、前記空気清浄フィルター１０を通過した前記主フィルター通過気流３２が前記ファン吸込口１３に流れやすくなり、吸い込み部分の抵抗を少なくでき風量を確保することができる。
【００６１】
また、前記底面板２１の前記空気清浄フィルター１０の下方に前記フィルター点検蓋４５をねじ等で着脱自在に設けており、前記フィルター点検蓋４５を取り外した際、風上となり汚れ面である前記空気清浄フィルター１０の下面を確認できるため、前記空気清浄フィルター１０を取り外さずに清掃できる。
【００６２】
また、風上となり汚れ面である前記空気清浄フィルター１０が下面側であるため、大きな虫等の塵は前記空気清浄フィルター１０に衝突したのち前記フィルター点検蓋４５に落下し、前記フィルター点検蓋４５自体が虫受け籠となり大きな塵を簡単に清掃できる。
【００６３】
また、前記フィルター隔壁１２を前記空気清浄フィルター１０の傾きとほぼ平行に配置し、前記空気清浄フィルター１０の挿入ガイドとして設け、前記空気清浄フィルター１０を前記フィルター隔壁１２に沿って抜き差しするよう着脱自在とし、前記空気清浄フィルター１０挿入時は前記フィルター隔壁１２上に前記空気清浄フィルター１０が置かれて保持される状態となるため、前記空気清浄フィルター１０を交換する際等での取り外し時の着脱が容易になり、また前記空気清浄フィルター１０の取り外し時の落下を防ぐことが可能なダクトファンを提供することができる。
【００６４】
（実施の形態５）
図６は本発明の実施の形態５の側面透視図であり、図１〜図５と同じ構成要素については同じ符号を用い、その説明は省略する。
【００６５】
図６に示すように、前記空気清浄フィルター１０の下面側に粗塵防虫網４６を配置し、前記底面板２１の前記空気清浄フィルター１０の下方にフィルター点検蓋４５をねじ等で着脱自在に設けている。
【００６６】
また、前記フィルター隔壁１２に前記粗塵防虫網４６を固定している。
【００６７】
また、前記モーター１５の下方にモーター点検蓋４７をねじ等で着脱自在に設け、前記モーター点検蓋４７の前記空気清浄フィルター１０側に前記空気清浄フィルター１０の傾斜に沿うモーター点検蓋傾斜部４８を設け、前記空気清浄フィルター１０の挿入ガイドとし、前記空気清浄フィルター１０を着脱自在として形成している。
【００６８】
上記構成において、風上となり汚れ面である前記空気清浄フィルター１０の下面側に、金網等で構成された目の粗い前記粗塵防虫網４６を配置しているため、虫などの大きい塵は前記粗塵防虫網４６で捕集され、前記空気清浄フィルター１０の目詰まりを防ぎ、また前記空気清浄フィルター１０を取り外さずに大きな塵を清掃できる。
【００６９】
また前記フィルター隔壁１２は、前記粗塵防虫網４６を固定しているため、前記粗塵防虫網４６を支持する別部材を設ける必要がなく、また前記空気清浄フィルター１０の支持と兼用することができ、材料を削減することができる。
【００７０】
また前記モーター点検蓋４７は、前記モーター１５の下方にねじ等で着脱自在に設けており、前記モーター点検蓋傾斜部４８を前記空気清浄フィルター１０側に前記空気清浄フィルター１０の傾きとほぼ平行に配置しており、前記空気清浄フィルター１０の挿入ガイドとして設け、前記空気清浄フィルター１０を前記モーター点検蓋傾斜部４８に沿って抜き差しするよう着脱自在とし、前記空気清浄フィルター１０を交換する際等での取り外し時の着脱を容易にすることが可能なダクトファンを提供することができる。
【００７１】
（実施の形態６）
図７は本発明の実施の形態６の側面透視図であり、図１〜図６と同じ構成要素については同じ符号を用い、その説明は省略する。
【００７２】
図７に示すように、前記空気清浄フィルター１０上面にフィルターガイド４９を配し、前記空気清浄フィルター１０を前記フィルター隔壁１２と前記フィルターガイド４９で挟んで固定し、前記空気清浄フィルター１０を脱着する際に前記フィルター隔壁１２を前記フィルターガイド４９と分離する構成として形成している。
【００７３】
上記構成において、前記空気清浄フィルター１０を前記フィルター隔壁１２と前記フィルターガイド４９で挟み前記空気清浄フィルター１０を堅固に固定し、前記フィルター隔壁１２と前記空気清浄フィルター１０の隙間をなくし、前記フィルター隔壁１２の前記通風用開口１１を通過した空気は前記空気清浄フィルター１０以外を通過することなきよう通風隙間をなくしているため、小さい塵は空気清浄フィルター１０にて捕集され前記機体吹出口２への流出を防ぐことができる。
【００７４】
また前記空気清浄フィルター１０を脱着する際に、前記フィルター隔壁１２を前記フィルターガイド４９と分離する構成としているため、前記空気清浄フィルター１０を前記フィルター隔壁１２上の広い作業スペースで着脱自在とでき、前記空気清浄フィルター１０を交換する際等での取り外し時の着脱を容易にすることが可能なダクトファンを提供することができる。
【００７５】
なお前記フィルター隔壁１２は前記機体３と蝶番等で回動自在に接続し、前記空気清浄フィルター１０を交換する際、前記フィルター隔壁１２が脱落しない構成としていることが望ましい。
【産業上の利用可能性】
【００７６】
一般住宅の給気換気以外に、機体吹出口からの送風を用いて設備機器の冷却ができ、気流の圧力損失を少なくし風量を確保することで冷却効果が高く、薄型コンパクトに設置できる設備機器の送風の用途にも適用できる。
【図面の簡単な説明】
【００７７】
【図１】本発明の実施の形態１のダクトファンの側面透視図
【図２】同ダクトファンの設置状態を示す側面図
【図３】本発明の実施の形態２のダクトファンの側面透視図
【図４】本発明の実施の形態３のダクトファンの側面透視図
【図５】本発明の実施の形態４のダクトファンの側面透視図
【図６】本発明の実施の形態５のダクトファンの側面透視図
【図７】本発明の実施の形態６のダクトファンの側面透視図
【図８】従来のダクトファンの側面透視図
【図９】同ダクトファンの設置状態を示す側面図
【符号の説明】
【００７８】
１    機体吸込口
２    機体吹出口
３    機体
８    流路
９    片吸込型送風機
１０  空気清浄フィルター
１１  通風用開口
１２  フィルター隔壁
１３  ファン吸込口
１５  モーター
１６  反モーター側のファンケーシング側板
１７  天面板
３８  ファンケーシング側のフィルター下端部
３９  機体吸込口側のファンケーシング端部
４０  ファンケーシング傾斜部
４１  吸込空気室
４２  モーター取付脚
４３  フィルター側モーター取付脚隙間
４４  反フィルター側モーター取付脚隙間
４５  フィルター点検蓋
４６  粗塵防虫網
４７  モーター点検蓋
４８  モーター点検蓋傾斜部
４９  フィルターガイド
【図１】
2007101146.tif 000003
【図２】
2007101146.tif 000004
【図３】
2007101146.tif 000005
【図４】
2007101146.tif 000006
【図５】
2007101146.tif 000007
【図６】
2007101146.tif 000008
【図７】
2007101146.tif 000009
【図８】
2007101146.tif 000010
【図９】
2007101146.tif 000011